(57)【要約】【課題】近距離無線通信の通信範囲内に存在する装置名を、識別可能に表示するための処理手順の簡易化が図れる近距離無線装置及びオーディオ機器を提供すること【解決手段】オーディオ機器は、スマートフォンとＢｌｕｅｔｏｏｔｈに準拠した無線通信を行う。一方、オーディオ機器は、管理者等によってリネームモードに切り替えられると、Ｂｌｕｅｔｏｏｔｈアドレスの下３桁を装置名の先頭に付加したフレンドリーネームを設定する。オーディオ機器は、スマートフォンからのリモート名要求（ＲＮＲ）コマンドに対してリネームしたフレンドリーネームを応答する。【選択図】図５
2016054373.tif 000002
【特許請求の範囲】
【請求項１】
近距離無線通信により送信元の装置との間でデータの送受信を行う無線通信部と、
前記送信元の装置から前記無線通信部を介して受信した要求信号に対してフレンドリーネームを応答する処理部と、
を備え、
前記処理部は、固有のアドレスに基づいた識別名を装置名の先頭に加えて前記フレンドリーネームとして設定することを特徴とする近距離無線装置。
【請求項２】
前記近距離無線通信は、Ｂｌｕｅｔｏｏｔｈ規格に準拠した無線通信であり、
前記処理部は、前記無線通信部に設定されたＢｌｕｅｔｏｏｔｈアドレスに基づいて前記識別名を設定することを特徴とする請求項１に記載の近距離無線装置。
【請求項３】
外部から操作指示を受け付ける操作部を備え、
前記処理部は、前記操作部が受け付けた操作指示の内容に応じて、前記フレンドリーネームとして前記装置名を設定する第１モードと、前記フレンドリーネームとして前記装置名の先頭に前記識別名を加えて設定する第２モードとを切り替えることを特徴とする請求項１又は請求項２に記載の近距離無線装置。
【請求項４】
請求項１乃至請求項３のいずれかに記載の近距離無線装置を備え、前記無線通信部を介して受信した音響データを再生することを特徴とするオーディオ機器。
【発明の詳細な説明】
【技術分野】
【０００１】
本願に開示の技術は、近距離無線通信において各装置を識別するための技術に関するものである。
【背景技術】
【０００２】
パーソナルコンピュータの中には、近距離無線通信、例えば、Ｂｌｕｅｔｏｏｔｈ（登録商標）による無線通信を用いてマウスやキーボードなどの入力装置と接続されるものがある（例えば、特許文献１など）。特許文献１に開示される情報処理システムは、パーソナルコンピュータがマスターとなり、複数の入力装置（マウスなど）のいずれかがスレーブとなって無線通信を行い、キー入力などの入力データをパーソナルコンピュータに送信する。また、パーソナルコンピュータに入力データを送信する入力装置を切り替える際には、パーソナルコンピュータは、無線通信が可能な範囲内に存在する入力装置の一覧を表示画面に表示する。使用者等は、表示画面の中から所望の入力装置を選択する。
【０００３】
より具体的には、例えば、入力するキーボードを切り替える場合には、現在使用しているキーボードを操作して、入力装置変更コマンドをパーソナルコンピュータに送信する。パーソナルコンピュータは、入力装置変更コマンドを受信すると、所定のＧＩＡＣ（General Inquiry Access Code）によるアクセスコードを生成する。パーソナルコンピュータは、パケットフォーマットのアクセスコード領域にアクセスコードをマッピングした端末検索信号（ＩＮＱＵＩＲＹ）を生成する。また、パーソナルコンピュータは、端末検索信号を通信範囲内に存在する入力装置に向けてブロードキャストすることで入力装置の検出を行う。
【０００４】
通信範囲内の入力装置は、端末検索信号を受信すると、ＩＤ格納部に格納されたＩＤを元に生成したアクセスコードを、パケットフォーマットのアクセスコード領域にマッピングし、端末検索応答信号（ＩＮＱＵＩＲＹ ＲＥＳＰＯＮＳＥ）としてパーソナルコンピュータに送信する。パーソナルコンピュータは、端末検索応答信号を受信すると、アクセスコードから入力装置のＩＤを抽出し、表示画面に表示する。
【先行技術文献】
【特許文献】
【０００５】
【特許文献１】特開２００２−７３５２５号公報
【発明の概要】
【発明が解決しようとする課題】
【０００６】
ところで、上記したＩＤは、パーソナルコンピュータが入力装置を識別するための数字等で表されたデータであり、使用者等が見てもどの入力装置であるかは判断できない。このため、上記した情報処理システムでは、使用者等に対して通信範囲内の入力装置を識別可能に表示するために、マスターであるパーソナルコンピュータが抽出したＩＤの代わりに各入力装置の装置名を表示する。又は、受信した端末検索応答信号のアクセスコードから抽出したＩＤを、各入力装置の装置名に関連付ける処理が必要となる。また、パーソナルコンピュータは、表示部の表示領域内にＩＤ及び装置名を表示するため、個々のデータを表示する領域を設定する必要がある。結果として、上記した情報処理システムでは、通信範囲内に存在する装置名を、使用者等に対して識別可能に表示するための処理手順が煩雑となる。また、装置名だけを表示する場合には、同じ通信範囲内に複数の同じ装置が存在すると、装置名を見ただけでは区別がつかないという問題がある。
【０００７】
本願に開示される技術は、上記の課題に鑑み提案されたものである。近距離無線通信の通信範囲内に存在する装置名を、識別可能に表示するための処理手順の簡易化が図れる近距離無線装置及びオーディオ機器を提供することを目的とする。
【課題を解決するための手段】
【０００８】
本願に開示される技術に係る近距離無線装置は、近距離無線通信により送信元の装置との間でデータの送受信を行う無線通信部と、送信元の装置から無線通信部を介して受信した要求信号に対してフレンドリーネームを応答する処理部と、を備え、処理部は、固有のアドレスに基づいた識別名を装置名の先頭に加えてフレンドリーネームとして設定することを特徴とする。
【０００９】
当該近距離無線装置では、送信元の装置との間で近距離無線通信を行う無線通信部を介して受信した要求信号に対してフレンドリーネームを処理部が応答する。処理部は、応答するフレンドリーネームとして、固有のアドレスに基づいた識別名を装置名の先頭に加えたものを設定する。ここでいう固有のアドレスとは、例えば、近距離無線通信のデータ送受信に用いられるアドレスである。また、装置名とは、例えば、近距離無線装置を備える機器（オーディオ機器など）のメーカが設定する製品名などである。
【００１０】
ここで、従来の情報処理システムでは、本願における固有のアドレスとは別に、入力装置のＩＤ格納部にＩＤを予め設定する必要があった。これに対し、当該近距離無線装置では、このようなＩＤの作成やＩＤを設定する作業等が不要となる。
【００１１】
また、従来技術の情報処理システムでは、ＩＤを元に生成したアクセスコードと、装置名との２つのデータを、スレーブ側の入力装置からマスター側のパーソナルコンピュータに送信する必要があった。また、パーソナルコンピュータは、ＩＤの抽出処理や抽出したＩＤを装置名に関連付ける処理が必要であった。これに対し、当該近距離無線装置では、固有のアドレスに基づいた識別名を付加したフレンドリーネームを、フレンドリーネームを要求した装置に応答する。このため、フレンドリーネームを要求した装置は、識別名を付加したフレンドリーネームを受信すればよく、別途ＩＤの受信や受信したアクセスコードからのＩＤ抽出等が不要となる。
【００１２】
また、従来技術の情報処理システムでは、パーソナルコンピュータが、使用者等に対して装置名を識別可能に表示するために、ＩＤ及び装置名を表示部に表示する必要があった。これに対し、当該近距離無線装置にフレンドリーネームを要求した装置は、装置名に識別名が付加されたフレンドリーネームを表示するだけで、近距離無線通信の通信範囲内に存在する装置名を、識別可能に表示することが可能となる。
【００１３】
さらに、処理部は、固有のアドレスに基づいた識別名を装置名の先頭に加えてフレンドリーネームとして設定する。ここで、例えば、装置名が長い場合には、装置名の後ろに識別名を付加したフレンドリーネームを表示しても、表示部の表示領域の大きさによっては識別名が全く表示されない虞がある。これに対し、当該近距離無線装置では、例えば、固有のアドレスの一部を識別名として、装置名の先頭に設定することで、装置名が長い場合であっても、複数のフレンドリーネームを識別可能に表示することが可能となる。
【００１４】
また、本願に開示される技術に係る近距離無線装置において、近距離無線通信は、Ｂｌｕｅｔｏｏｔｈ規格に準拠した無線通信であり、処理部は、無線通信部に設定されたＢｌｕｅｔｏｏｔｈアドレスに基づいて識別名を設定する構成としてもよい。
【００１５】
当該近距離無線装置では、Ｂｌｕｅｔｏｏｔｈ対応デバイスの各々に割り当てられる固有のＢｌｕｅｔｏｏｔｈアドレスを用いて識別名を適切に設定することが可能となる。
【００１６】
また、本願に開示される技術に係る近距離無線装置において、外部から操作指示を受け付ける操作部を備え、処理部は、操作部が受け付けた操作指示の内容に応じて、フレンドリーネームとして装置名を設定する第１モードと、フレンドリーネームとして装置名の先頭に識別名を加えて設定する第２モードとを切り替える構成としてもよい。
【００１７】
当該近距離無線装置では、使用者等が必要に応じて操作部を操作してモードの切り替えを行って、フレンドリーネームとして使用するデータを選択することが可能となる。
【００１８】
本願に開示される技術に係るオーディオ機器は、請求項１乃至請求項３のいずれかに記載の近距離無線装置を備え、無線通信部を介して受信した音響データを再生することを特徴とする。
【００１９】
当該オーディオ機器では、固有のアドレスを用いてフレンドリーネームを識別可能なものとすることが可能となる。
【発明の効果】
【００２０】
本願に開示される技術によれば、近距離無線通信の通信範囲内に存在する装置名を、識別可能に表示するための処理手順の簡易化が図れる近距離無線装置及びオーディオ機器を提供することができる。
【図面の簡単な説明】
【００２１】
【図１】スマートフォンの無線通信の範囲内に存在するオーディオ機器を示す図である。
【図２】オーディオ機器及びスマートフォンの構成を示すブロック図である。
【図３】オーディオ機器とスマートフォンとの間での通信内容を示す状態遷移図である。
【図４】Ｂｌｕｅｔｏｏｔｈのパケットフォーマットを説明するための図である。
【図５】通常モード及びリネームモードの各モードにおけるタッチパネルの表示状態の一例を示す図である。
【発明を実施するための形態】
【００２２】
以下、本発明を具体化した一実施形態について添付図面を参照しながら説明する。
図１は、本実施形態の近距離無線装置を備える装置の一例としてオーディオ機器１１が図示されている。複数のオーディオ機器１１は、ユーザＵが携帯するスマートフォン２１からの無線通信によって転送される音楽データを再生する。複数のオーディオ機器１１の各々とスマートフォン２１とは、近距離無線通信、例えばＢｌｕｅｔｏｏｔｈ（登録商標）に準拠した無線通信によって、ピコネットと呼ばれる近距離のネットワークを構築し、音楽データなどを転送することが可能となっている。
【００２３】
スマートフォン２１は、内蔵のメモリ２９（図２参照）に複数の音楽データが格納されており、タッチパネル２３に表示されたプレイリストの中から聴きたい音楽データをユーザＵが選択（タッチなど）すると、選択された音楽データをオーディオ機器１１に向けて転送する。オーディオ機器１１は、スマートフォン２１から転送された音楽データをスピーカ１３から出力する処理を行う。なお、図１に示す破線は、スマートフォン２１がＢｌｕｅｔｏｏｔｈによって通信可能な通信範囲３１の一例を示している。Ｂｌｕｅｔｏｏｔｈの通信範囲３１は、例えば、送信出力を増大することで１０ｍから１００ｍまで延長可能である。
【００２４】
図２は、オーディオ機器１１及びスマートフォン２１の構成を示している。オーディオ機器１１は、スピーカ１３と、無線通信部１５と、処理部１７と、操作部１９とを有している。無線通信部１５は、周波数ホッピング方式（ＦＨＳＳ：Frequency Hopping Spread Spectrum）のスペクトラム拡散による無線通信を実現する。無線通信部１５は、例えば、処理部１７から入力された送信データの符号化処理及び変調処理を行ってベースバンド信号を生成する。また、無線通信部１５は、生成したベースバンド信号をＡ／Ｄ変換等して２．４ＧＨｚの周波数帯域の信号にアップ・コンバートする。また、無線通信部１５は、２．４ＧＨｚの周波数帯域の信号からダウン・コンバートした信号の復調処理等を行って抽出した受信データを処理部１７に出力する処理を行う。また、無線通信部１５の記憶部１５Ａには、Ｂｌｕｅｔｏｏｔｈアドレスが予め保存されている。また、Ｂｌｕｅｔｏｏｔｈアドレスとは、Ｂｌｕｅｔｏｏｔｈ対応デバイスを識別するために固有の値として割り当てられたアドレスであり、４８ビットの一意のアドレスである。記憶部１５Ａは、例えば、ＲＯＭ（Read Only Memory）である。
【００２５】
処理部１７は、Ｂｌｕｅｔｏｏｔｈのプロトコルスタックにおける各レイヤの通信プロトコル処理を行う。また、処理部１７は、スマートフォン２１から無線通信部１５を介して受信した音楽データをスピーカ１３に出力する処理を行う。操作部１９は、使用者等からの操作指示を受け付けるためのものであり、電源スイッチや音量切り替えスイッチなどを有する。
【００２６】
スマートフォン２１は、タッチパネル２３と、無線通信部２５と、制御部２７と、メモリ２９とを有している。無線通信部２５は、オーディオ機器１１が有する無線通信部１５との間で周波数ホッピング方式のスペクトラム拡散による無線通信を実現する。無線通信部２５は、制御部２７から入力された送信データをアップ・コンバートする処理や、ダウン・コンバートした受信データを制御部２７に出力する処理を行う。制御部２７は、Ｂｌｕｅｔｏｏｔｈのプロトコルスタックにおける各レイヤの通信プロトコル処理を行う。また、制御部２７は、ユーザＵがタッチパネル２３に対して行った操作指示に応じて、メモリ２９に格納された音楽データを、無線通信部２５を介してオーディオ機器１１に転送する。
【００２７】
次に、Ｂｌｕｅｔｏｏｔｈのペアリング（認証）に先立って、通信範囲３１に存在するＢｌｕｅｔｏｏｔｈ対応デバイス（本実施形態では、オーディオ機器１１）を検索する処理について説明する。以下の説明では、一例として、ユーザＵのスマートフォン２１がピコネットのマスターとなり、複数のオーディオ機器１１のいずれか１台がスレーブとなって無線通信を行う場合について説明する。
【００２８】
例えば、図１に示すように、複数のテーブルＴにオーディオ機器１１が配置された会場にユーザＵが訪れた場合を想定する。図３は、オーディオ機器１１とスマートフォン２１との間での通信内容を示す状態遷移図である。まず、会場の管理者等は、図３に示すステップ（以下、単位「Ｓ」と表記する）１１において、予め全てのオーディオ機器１１の操作部１９を操作してモードの切り替えを行う。このモードとは、フレンドリーネームとして装置名を設定する通常モード（第１モードの一例）と、フレンドリーネームとして装置名の先頭にＢｌｕｅｔｏｏｔｈアドレスの下３桁を追加するリネームモード（第２モード）である。処理部１７は、操作部１９に対する管理者の操作内容に応じて、２つのモードを切り替えて必要に応じてフレンドリーネームを変更する。モードを切り替えるための操作手順は、一般のユーザＵが通常の操作では行わない操作手順が好ましく、例えば、電源スイッチを数秒間押下し続ける操作手順でもよい。また、オーディオ機器１１は、操作部１９に対する直接の操作に限らず、リモートコントローラから遠隔でモードが切り替え可能な構成でもよい。この場合、管理者等は、リモートコントローラによって、複数のオーディオ機器１１のモードをまとめて変更可能となる。
【００２９】
また、Ｂｌｕｅｔｏｏｔｈの仕様では、Ｂｌｕｅｔｏｏｔｈ対応デバイスを区別するために、フレンドリーネーム（例えば、製造メーカの装置名（製品名）「ＬＳＸ−７０  Ｙａｍａｈａ」など）が設定可能となっている。フレンドリーネームは、例えば、ＵＴＦ−８でエンコードされた２４８バイトのデータであり、設定されたフレンドリーネームが２４８バイトより短い場合には、そのフレンドリーネームの末尾がヌル文字で表されている。フレンドリーネームは、例えば、オーディオ機器１１の製造メーカにより決定され、処理部１７が備えるＲＯＭ（図示略）に予め設定されている。オーディオ機器１１の処理部１７は、Ｓ１１においてモードがリネームモードに変更されると、予め設定された装置名（ＬＳＸ−７０  Ｙａｍａｈａなど）の先頭にＢｌｕｅｔｏｏｔｈアドレスの下３桁を挿入しフレンドリーネームをリネームする。
【００３０】
複数のオーディオ機器１１が設置された会場の管理者等は、オーディオ機器１１を個別に電源操作したり、上記モード設定を用いたりして、オーディオ機器１１のＢｌｕｅｔｏｏｔｈアドレス下３桁を予め調べておき、ユーザＵが利用する前に、該３桁の数字のメモ等を各オーディオ機器１１に対応して表示しておく。
【００３１】
次に、ユーザＵは、自分が着席するテーブルＴに置かれたオーディオ機器１１を使用して好みの音楽を聴くために、スマートフォン２１のタッチパネル２３を操作してＢｌｕｅｔｏｏｔｈ機能を有効にする（Ｓ１３）。Ｂｌｕｅｔｏｏｔｈ機能が有効にされると、スマートフォン２１の制御部２７は、無線通信部２５を介して通信範囲３１内のオーディオ機器１１に対して端末検索信号（ＩＮＱＵＩＲＹ）をブロードキャストする（Ｓ１５）。通信範囲３１内に存在する複数のオーディオ機器１１の処理部１７は、無線通信部１５を介して端末検索信号を受信すると、端末検索応答信号（ＩＮＱＵＩＲＹ ＲＥＳＰＯＮＳＥ）をスマートフォン２１に送信する（Ｓ１７）。
【００３２】
ここで、Ｂｌｕｅｔｏｏｔｈ規格では、上記した端末検索信号及び端末検索応答信号を実現するために、プロトコルスタックのホストコントローラインターフェース（ＨＣＩ）でコマンドが提供されている。端末検索応答信号には、Ｂｌｕｅｔｏｏｔｈアドレスのクラスや応答したＢｌｕｅｔｏｏｔｈ対応デバイス（オーディオ機器１１）に関する他の情報（機器の種類（例えば、オーディオ機器）など）が含まれている。
【００３３】
上記したように端末検索応答信号にはフレンドリーネームが含まれていないため、スマートフォン２１の制御部２７は、リモート名要求（ＲＮＲ）コマンドを使用して、端末検索信号で検出したオーディオ機器１１に対してフレンドリーネームを要求する処理を行う。このリモート名要求コマンドは、Ｂｌｕｅｔｏｏｔｈのプロトコルスタックのリンクマネ−ジャ層（ＬＭ層）のリンクマネージメントプロトコル（ＬＭＰ：Link Management Protocol）を用いて実現できる。
【００３４】
図４は、Ｂｌｕｅｔｏｏｔｈに準拠した無線通信で伝送されるパケットのフォーマットを示している。従来技術の情報処理システムでは、図４に示すアクセスコード領域にスレーブ側の入力装置に設定された固有のＩＤをマッピングして、端末検索応答信号としてマスター（パーソナルコンピュータ）に送信していた。一方で、上記したリモート名要求コマンドを用いて取得するフレンドリーネームは、例えば、図４に示すペイロード領域にマッピングしたＡＣＬパケット（ＨＶ２パケットなど）を用いて取得される。このため、従来技術の情報処理システムでは、マスター側のパーソナルコンピュータが、アクセスコード領域とペイロード領域との各々にデータ（ＩＤ及びフレンドリーネーム）がマッピングされたパケットを別々に受信する必要や受信したパケットからそれぞれのデータを抽出する処理が必要となる。また、パーソナルコンピュータは、抽出したデータ（ＩＤとフレンドリーネーム）を関連付ける必要がある。これらの抽出及び関連付けの処理は、端末検索信号で検出した入力装置の全てに対して繰り返し実施される。
【００３５】
これに対し、本実施形態のオーディオ機器１１では、操作部１９が操作され通常モードからリネームモードに切り替えられることによって、フレンドリーネームを記憶部１５Ａに格納されたＢｌｕｅｔｏｏｔｈアドレスの下３桁を用いてリネームする。なお、処理部１７は、Ｓ１１の段階で予めリネームする処理を行わずに、リネームモードに変更した後に初めてリモート名要求コマンドを受信した際にリネームする処理を行ってもよい。
【００３６】
図３に示すように、スマートフォン２１の制御部２７は、Ｓ１７において、通信範囲３１内に存在するオーディオ機器１１のいずれかを検出すると、検出したオーディオ機器１１に対してリモート名要求コマンドを送信する（Ｓ１９）。リモート名要求コマンドを受信したオーディオ機器１１は、Ｓ１１において管理者によってリネームモードに切り替えられているため、Ｂｌｕｅｔｏｏｔｈアドレスの下３桁を装置名の先頭に付加したフレンドリーネームを応答する（Ｓ２１）。
【００３７】
同様に、制御部２７は、Ｓ１５，Ｓ１７の処理によって検出した通信範囲３１内の他のオーディオ機器１１に対してもフレンドリーネームを取得する処理を行う。制御部２７は、受信したフレンドリーネームをメモリ２９に一時的に保存する。また、制御部２７は、受信したフレンドリーネームを、タッチパネル２３に一覧として表示する（Ｓ２３）。図５は、通常モード及びリネームモードの各モードにおけるタッチパネル２３の表示状態を示している。図５に示すように、通常モードのタッチパネル２３では、フレンドリーネームとして装置名のみが表示されている。この状態では、ユーザＵは、自分のテーブルＴのオーディオ機器１１がどれであるかを判別することができない。一方で、リネームモードのタッチパネル２３では、装置名の先頭にＢｌｕｅｔｏｏｔｈアドレスの下３桁が挿入されたフレンドリーネームが表示されている。
【００３８】
このため、例えば、Ｂｌｕｅｔｏｏｔｈアドレスの下３桁を付加したフレンドリーネームを、予め該当するオーディオ機器１１が置かれたテーブルＴに配置することで、ユーザＵは、それを見てタッチパネル２３の一覧表示から自分のテーブルＴにあるオーディオ機器１１を判断できる。ユーザＵによってタッチパネル２３に表示されたオーディオ機器１１のうちの一つが選択（タッチなど）されると、スマートフォン２１は、選択されたオーディオ機器１１に対して接続要求信号を送信してペアリング等を実施する（Ｓ２５）。上記したように、本実施形態のスマートフォン２１では、どのオーディオ機器１１がどのＢｌｕｅｔｏｏｔｈアドレスであるかなどを判定する必要はなく、タッチパネル２３の表示処理を実施するだけでよい。つまり、本実施形態では、マスター側の装置は、スレーブ側の装置を識別するための処理として通常の処理と異なる処理は不要である。
【００３９】
以上、上記した実施形態によれば、以下の効果を奏する。
（１）本実施形態のオーディオ機器１１の処理部１７は、Ｂｌｕｅｔｏｏｔｈに準拠した無線通信を行う無線通信部１５を介して受信したリモート名要求（ＲＮＲ）コマンドに対してフレンドリーネームを応答する（Ｓ２１）。処理部１７は、Ｓ１１において管理者によってリネームモードに切り替えられているため、Ｂｌｕｅｔｏｏｔｈアドレスの下３桁を装置名の先頭に付加したフレンドリーネームを応答する。当該オーディオ機器１１では、Ｂｌｕｅｔｏｏｔｈ対応デバイスに設定される固有のＢｌｕｅｔｏｏｔｈアドレスを用いてフレンドリーネームを変更しているため、Ｂｌｕｅｔｏｏｔｈアドレスとは別に、ＩＤなどを設定する作業が不要となる。また、マスター側のスマートフォン２１の制御部２７は、受信したフレンドリーネームを、タッチパネル２３に一覧として表示する（Ｓ２３）。ユーザＵは、フレンドリーネームの先頭にユニークな識別名が付加されているため、タッチパネル２３の一覧表示から自分のテーブルＴにあるオーディオ機器１１を判断することが可能となる。従って、スマートフォン２１は、どのオーディオ機器１１がどのＢｌｕｅｔｏｏｔｈアドレスであるかなどを判定する必要はなく、タッチパネル２３の表示処理を実施するだけでよい。つまり、スマートフォン２１は、オーディオ機器１１を識別するための処理として通常の処理と異なる処理は不要であり、別途アプリケーションなどをインストールすることも不要である。また、識別するためのデータ（Ｂｌｕｅｔｏｏｔｈアドレスなど）を、フレンドリーネームに関連付けたり、フレンドリーネームとは別に管理したりする処理も不要である。
【００４０】
また、処理部１７は、フレンドリーネームとして、装置名の先頭にＢｌｕｅｔｏｏｔｈアドレスの下３桁を設定する。このような構成では、スマートフォン２１のタッチパネル２３など、表示領域が限られた表示装置であっても装置名及びＢｌｕｅｔｏｏｔｈアドレスの両方が表示でき、複数のフレンドリーネームを識別可能に表示することが可能となる。
【００４１】
（２）処理部１７は、無線通信部１５の記憶部１５Ａに設定されたＢｌｕｅｔｏｏｔｈアドレスに基づいて識別名を設定する。このため、本実施形態のオーディオ機器１１では、Ｂｌｕｅｔｏｏｔｈ対応デバイスの各々に割り当てられる固有のＢｌｕｅｔｏｏｔｈアドレスを用いて識別名を適切に設定することが可能となる。
【００４２】
（３）オーディオ機器１１は、ユーザＵが操作部１９に対して所定の操作を行うことによって、フレンドリーネームとして装置名を設定する通常モードと、フレンドリーネームとして装置名の先頭にＢｌｕｅｔｏｏｔｈアドレスの下３桁を付加するリネームモードとを選択可能となっている（Ｓ１１）。
【００４３】
尚、本発明は上記実施形態に限定されるものではなく、本発明の趣旨を逸脱しない範囲内での種々の改良、変更が可能であることは言うまでもない。
例えば、上記実施形態では、近距離無線通信としてＢｌｕｅｔｏｏｔｈを例に説明したが、他の近距離無線通信、例えばＩＥＥＥ（Institute of Electrical and Electronic Engineers）８０２．１１ｂに準拠した無線通信に本願発明を適用しても上記実施形態と同様の効果を得ることができる。この場合、固有のアドレスとして、例えば、Ｂｌｕｅｔｏｏｔｈアドレスの代わりにＭＡＣアドレスを用いることができる。
【００４４】
また、上記実施形態では、固有アドレスの一部として、Ｂｌｕｅｔｏｏｔｈアドレスの下３桁を用いたが、これに限定されず、例えば、下４桁、あるいは下６桁のうち任意の箇所の桁数でもよく、どのようにＢｌｕｅｔｏｏｔｈアドレスを用いてフレンドリーネームを変更するのかを設定可能な構成でもよい。
また、オーディオ機器１１は、モードの切り替えが実施できない構成でもよい。即ち、オーディオ機器１１は、常時リネームモードでもよい。
また、上記実施形態では、本願の近距離無線装置を備える装置の一例としてオーディオ機器１１を例に説明したが、他の近距離無線通信が必要な装置に適用してもよい。
また、上記実施形態では、近距離無線通信において送受信するデータとして音楽データ（音響データの一例）を例に説明したが、送受信するデータは画像データやテキストデータ等の他の形式のデータでもよい。
【００４５】
また、Ｂｌｕｅｔｏｏｔｈのバージョンは特に限定されない。
また、上記実施形態では特に言及していないが、オーディオ機器１１は、他の機能、例えば、無線通信の状態や音楽の音程等に合わせて明るさや色が変化する照明装置を備える構成でもよい。例えば、ペアリングの成功に合わせて照明が点灯する、あるいは照明の色が変化する照明装置を備える構成でもよい。
【符号の説明】
【００４６】
１１  オーディオ機器、１５  無線通信部、１７  処理部、１９  操作部、２１  スマートフォン。
【図１】
2016054373.tif 000003
【図２】
2016054373.tif 000004
【図３】
2016054373.tif 000005
【図４】
2016054373.tif 000006
【図５】
2016054373.tif 000007